(57)【要約】【課題】製造コストが低くまた圧縮機の大型化を招かない可動スクロール自転阻止機構を備えるスクロール型圧縮機を提供する。【解決手段】可動スクロールの端板に固定された可動側ピンと、可動スクロールの端板に対峙するハウジングの端面に固定されると共に可動側ピンが挿入される円形穴が形成された板部材と、前記円形穴と同心に前記ハウジングの端面に立設され前記円形穴と共働して可動側ピンが挿通される円環隙間を形成する固定側ピンとを有する可動スクロール自転阻止機構を備える。【選択図】　図１
2004092572.tif 000002
【特許請求の範囲】
【請求項１】
ハウジング内に配設された端板と端板に立設された渦巻体とから成る固定スクロールと端板と端板に立設された渦巻体とから成る可動スクロールとを互いにかみ合わせてこれらの間に複数の作動空間を形成し、可動スクロールを固定スクロールに対して公転運動させて作動空間内の流体を圧縮するスクロール型圧縮機であって、可動スクロールの端板に固定された可動側ピンと、可動スクロールの端板に対峙するハウジングの端面に固定されると共に可動側ピンが挿入される円形穴が形成された板部材と、前記円形穴と同心に前記ハウジングの端面に立設され前記円形穴と共働して可動側ピンが挿通される円環隙間を形成する固定側ピンとを有する可動スクロール自転阻止機構を備えることを特徴とするスクロール型圧縮機。
【請求項２】
前記円形穴はバーリング穴であることを特徴とする請求項１に記載のスクロール型圧縮機。
【発明の詳細な説明】
【０００１】
【発明の属する技術分野】
本発明はスクロール型圧縮機に関するものである。
【０００２】
【従来の技術】
【特許文献１】特開２００２−１０６４８２号
ハウジング内に配設された端板と端板に立設された渦巻体とから成る固定スクロールと端板と端板に立設された渦巻体とから成る可動スクロールとを互いにかみ合わせてこれらの間に複数の作動空間を形成し、可動スクロールを固定スクロールに対して公転運動させて作動空間内の流体を圧縮するスクロール型圧縮機であって、可動スクロールの端板に固定された可動側ピンと、可動スクロールの端板に対峙するハウジングの端面に形成された円形凹部と、前記円形凹部と同心に前記ハウジングの端面に固定され前記円形凹部と共働して可動側ピンが挿通される円環隙間を形成する固定側ピンとを有する可動スクロール自転阻止機構を備えることを特徴とするスクロール型圧縮機が、特許文献１に開示されている。
前記可動スクロール自転阻止機構においては、円形凹部と固定側ピンとが共働して形成した円環隙間内に可動側ピンの可動領域が規制されることにより、可動スクロールの自転が阻止されると共に、液圧縮時等でも可動スクロールの公転が円運動に規制され、渦巻体の損傷発生が防止される。
【０００３】
【発明が解決しようとする課題】
特許文献１の可動スクロール自転阻止機構には、ハウジングの端面に加工精度の高い円形凹部を切削加工する必要があり、製造コストが高いという問題がある。また円形凹部の外側にハウジングの端面を残す必要があり圧縮機の大型化を招くという問題がある。
本発明は上記問題に鑑みてなされたものであり、製造コストが低くまた圧縮機の大型化を招かない可動スクロール自転阻止機構を備えるスクロール型圧縮機を提供することを目的とする。
【０００４】
【課題を解決するための手段】
上記課題を解決するために、本発明においては、ハウジング内に配設された端板と端板に立設された渦巻体とから成る固定スクロールと端板と端板に立設された渦巻体とから成る可動スクロールとを互いにかみ合わせてこれらの間に複数の作動空間を形成し、可動スクロールを固定スクロールに対して公転運動させて作動空間内の流体を圧縮するスクロール型圧縮機であって、可動スクロールの端板に固定された可動側ピンと、可動スクロールの端板に対峙するハウジングの端面に固定されると共に可動側ピンが挿入される円形穴が形成された板部材と、前記円形穴と同心に前記ハウジングの端面に立設され前記円形穴と共働して可動側ピンが挿通される円環隙間を形成する固定側ピンとを有する可動スクロール自転阻止機構を備えることを特徴とするスクロール型圧縮機を提供する。
本発明に係るスクロール型圧縮機が備える可動スクロール自転阻止機構においては、板部材に形成された円形穴と固定側ピンとが共働して形成した円環隙間内に可動側ピンの可動領域が規制されることにより、可動スクロールの自転が阻止されると共に、液圧縮時等でも可動スクロールの公転が円運動に規制され、渦巻体の損傷発生が防止される。円形穴は板部材に容易に精度良くプレス加工できるので、本発明に係るスクロール型圧縮機が備える可動スクロール自転阻止機構の製造コストは低い。薄厚の板部材を使用する場合には、円環隙間への可動ピンの挿通深さを確保するためにハウジングの端面に凹部を形成する必要があるが、当該凹部の加工精度は低くても良いので、可動スクロール自転阻止機構の製造コスト上昇を招かない。前記凹部の外側にハウジング端面を残す必要が無いので、本発明に係るスクロール型圧縮機が備える可動スクロール自転阻止機構は圧縮機の大型化を招かない。
【０００５】
本発明の好ましい態様においては、前記円形穴はバーリング穴である。
バーリング加工により形成した円筒部を固定側ピンと重畳させることにより、円環隙間内での可動側ピンの円運動が安定し、可動スクロールの公転時の円運動が安定する。
【０００６】
【発明の実施の形態】
本発明の実施例に係るスクロール型圧縮機を説明する。
図１に示すように、本実施例に係るスクロール型圧縮機は、端板１ａと端板１ａに立設された渦巻体１ｂとを有する固定スクロール１と、端板２ａと端板２ａに立設された渦巻体２ｂとを有する可動スクロール２とを備えている。固定スクロールの渦巻体１ｂと可動スクロールの渦巻体２ｂとは互いにかみ合い、複数の作動空間３を形成している。
フロントハウジング４とリアケーシング５とにより、固定スクロール１と可動スクロール２とを収容するハウジングが形成されている。固定スクロール１の背後に吐出室６が形成され、可動スクロール２の背後にクランク室７が形成されている。
【０００７】
クランク室７内に主軸８が配設されている。主軸８はラジアルベアリング９を介してフロントハウジング４に回転可能に支持されている。主軸８の一端はフロントハウジング４の外部へ突出している。
主軸８の他端に偏心ピン１０が固定されている。ブッシュ１１が偏心ピン１０に摺動可能に外嵌合している。ブッシュ１１はラジアルベアリング１２を介して可動スクロールの端板２ａの背面に形成されたボス２ｃ内に収容されている。
【０００８】
可動スクロールの端板２ａと端板２ａに対峙するフロントハウジング４の端面との間に可動スクロール自転阻止機構１３が配設されている。
図１、２に示すように、可動スクロール自転阻止機構１３は、可動スクロールの端板２ａに圧入固定された２本の可動側ピン１３ａと、可動スクロールの端板２ａに対峙するフロントハウジング４の端面に２本の固定ピン１３ｂを用いて固定されると共に可動側ピン１３ａが挿入される２個の円形穴１３ｃが形成された円環板状のスラストプレート１３ｄと、円形穴１３ｃと同心にフロントハウジング４の端面に立設され、円形穴１３ｃと共働して可動側ピン１３ａが挿通される円環隙間１３ｅを形成する固定側ピン１３ｆとを有している。固定側ピン１３ｆはフロントハウジング４と一体形成されている。
【０００９】
本実施例に係るスクロール型圧縮機においては、図示しない駆動源の動力が図示しない電磁クラッチを介して主軸８の前記一端に伝達され、主軸８が回転駆動される。主軸８の回転に伴って可動スクロール２が主軸８の軸線Ｘ回りに公転運動し、図示しない入口ポートから圧縮機内に流入した流体が作動空間３内に取り込まれ、作動空間３が体積を減少させつつ固定スクロール１の中心へ向けて移動し、作動空間３内の流体が圧縮される。圧縮された流体は固定スクロールの端板１ａに形成された吐出口を通って吐出室６へ吐出し、図示しない出口ポートを通って圧縮機から流出する。
【００１０】
スラストプレート１３ｄに形成された円形穴１３ｃと固定側ピン１３ｆとが共働して形成した円環隙間１３ｅ内に可動側ピン１３ａの可動領域が規制されることにより、可動スクロール２の自転が阻止されると共に、液圧縮時等でも可動スクロール２の公転が円運動に規制され、渦巻体１ｂ、２ｂの損傷発生が防止される。
円形穴１３ｃはスラストプレート１３ｄに容易に精度良くプレス加工できるので、可動スクロール自転阻止機構１３の製造コストは低い。薄厚のスラストプレート１３ｄを使用する場合には、図１に示すように、円環隙間１３ｅへの可動ピン１３ａの挿通深さを確保するために、フロントハウジング４の端面に且つ固定側ピン１３ｆの周囲に凹部１３ｇを形成する必要があるが、凹部１３ｇの加工精度は低くても良いので、可動スクロール自転阻止機構１３の製造コスト上昇を招かない。凹部１３ｇの外側にフロントハウジング４の端面を残す必要が無いので、可動スクロール自転阻止機構１３はフロントハウジング４の大径化を招かず、ひいてはスクロール型圧縮機の大型化を招かない。
【００１１】
図３に示すように、バーリング加工により円形穴１３ｃを形成しても良い。
バーリング加工により形成した円筒部１３ｈを固定側ピン１３ｆと重畳させることにより、円環隙間１３ｅ内での可動側ピン１３ａの円運動が安定し、可動スクロール２の公転時の円運動が安定する。
固定側ピン１３ｆをフロントハウジング４とは別体で形成し、フロントハウジング４の端面に圧入固定しても良い。
【００１２】
【発明の効果】
以上説明したごとく、本発明に係るスクロール型圧縮機が備える可動スクロール自転阻止機構においては、板部材に形成された円形穴と固定側ピンとが共働して形成した円環隙間内に可動側ピンの可動領域が規制されることにより、可動スクロールの自転が阻止されると共に、液圧縮時等でも可動スクロールの公転が円運動に規制され、渦巻体の損傷発生が防止される。円形穴は板部材に容易に精度良くプレス加工できるので、本発明に係るスクロール型圧縮機が備える可動スクロール自転阻止機構の製造コストは低い。薄厚の板部材を使用する場合には、円環隙間への可動ピンの挿通深さを確保するためにハウジングの端面に凹部を形成する必要があるが、当該凹部の加工精度は低くても良いので、可動スクロール自転阻止機構の製造コスト上昇を招かない。前記凹部の外側にハウジング端面を残す必要が無いので、発明に係るスクロール型圧縮機が備える可動スクロール自転阻止機構は圧縮機の大型化を招かない。
【図面の簡単な説明】
【図１】本発明の実施例に係るスクロール型圧縮機の側断面図である。
【図２】本発明の実施例に係るスクロール型圧縮機が備える可動スクロール自転阻止機構の構成部材の斜視図である。
【図３】本発明の他の実施例に係るスクロール型圧縮機の部分側断面図である。
【符号の説明】
１　固定スクロール
２　可動スクロール
４　フロントハウジング
１３　可動スクロール自転阻止機構
１３ａ　可動側ピン
１３ｃ　円形穴
１３ｄ　スラストプレート
１３ｆ　固定側ピン
１３ｈ　円筒部
【図１】
2004092572.tif 000003
【図２】
2004092572.tif 000004
【図３】
2004092572.tif 000005